(57)【要約】【課題】手間および工費がかからずに地震の揺れにも追随できる鉄筋コンクリート構造物の防水構造を提供することである。【解決手段】鉄筋コンクリート構造物の防水構造１は、鉄筋コンクリート構造物７の壁２における床３との間に形成された水平スリット５と、柱４との間に形成された垂直スリット６とを跨いで床３と壁２および柱４にわたって防水層９が形成された鉄筋コンクリート構造物の防水構造１において、前記防水層９と壁２との間に緩衝材８が設けられ、該緩衝材８が波形鋼板１０と、該波形鋼板１０の前面に貼り付けられた防水下地用鉄板１１とからなり、該防水下地用鉄板１１によって緩衝材８が床３および柱４に固定されてなる。【選択図】図１
2007262781.tif 000002
【特許請求の範囲】
【請求項１】
鉄筋コンクリート構造物の壁における床との間に形成された水平スリットと、柱との間に形成された垂直スリットとを跨いで床と壁および柱にわたって防水層が形成された鉄筋コンクリート構造物の防水構造において、前記防水層と壁との間に緩衝材が設けられ、該緩衝材が波形鋼板と、該波形鋼板の前面に貼り付けられた防水下地用鉄板とからなり、該防水下地用鉄板によって緩衝材が床および柱に固定されたことを特徴とする鉄筋コンクリート構造物の防水構造。
【請求項２】
緩衝材の上部前面が減衰ゴムを介して壁からの押さえ金物で押さえ付けられたことを特徴とする請求項１に記載の鉄筋コンクリート構造物の防水構造。
【発明の詳細な説明】
【技術分野】
【０００１】
本願発明は鉄筋コンクリート構造物の防水構造に関するものである。
【背景技術】
【０００２】
鉄筋コンクリート構造物における壁と床との間に形成された水平スリットと、壁と柱との間に形成された垂直スリットとを跨いで防水層を形成する防水構造１７においては、図４に示すような構造形式がある。図４の（１）は壁１８と床１９との間に形成された水平スリット２０を跨いで防水層２１を形成している。また図４の（２）は水平スリット２０の位置を上げて防水層２１を形成している。また図４の（３）は壁１８の内側に防水用躯体２２を立ち上げて防水層２１を形成している。またその他の鉄筋コンクリート構造物の防水構造としては、例えば特開２００１−２０４００号の発明が知られている。
【特許文献１】特開２００１−２０４００号公報
【発明の開示】
【発明が解決しようとする課題】
【０００３】
しかし、上記の防水構造における図４の（１）は地震などがあった場合、壁と床との揺れが異なるため防水層が切断されるという問題があった。また図４の（２）は水平スリットの位置を上げた構成であるため施工に手間が掛かるという問題があった。また図４の（３）は壁の内側への防水用躯体の立ち上げにより施工に手間が掛かってコストが嵩む他、室内が狭くなるという問題があった。
【０００４】
本願発明はこれらの問題に鑑みてなされたものであり、その目的は、手間および工費がかからずに地震の揺れにも追随できる鉄筋コンクリート構造物の防水構造を提供することである。
【課題を解決するための手段】
【０００５】
以上の課題を解決するための鉄筋コンクリート構造物の防水構造造は、鉄筋コンクリート構造物の壁における床との間に形成された水平スリットと、柱との間に形成された垂直スリットとを跨いで床と壁および柱にわたって防水層が形成された鉄筋コンクリート構造物の防水構造において、前記防水層と壁との間に緩衝材が設けられ、該緩衝材が波形鋼板と、該波形鋼板の前面に貼り付けられた防水下地用鉄板とからなり、該防水下地用鉄板によって緩衝材が床および柱に固定されたことを特徴とする。また緩衝材の上部前面が減衰ゴムを介して壁からの押さえ金物で押さえ付けられたことを含むものである。
【発明の効果】
【０００６】
防水層が緩衝材を介して形成され、壁とは減衰ゴムを介して押さえ金物で接しているため、地震が発生しても壁とは縁切りされているので、防水層が破壊されることはなく、減衰ゴムによって壁の揺れを吸収する。また緩衝材が波形鋼板で形成されているため、浴室などの防水立ち上がりの高い箇所にも使用可能である。また緩衝材を設置して防水層を形成するため施工効率が高められる。また緩衝材は薄いため室内を広く使うことができる。床と壁との間に水平スリットが形成された構造であっても簡単に防水構造を形成することができる。
【発明を実施するための最良の形態】
【０００７】
以下、本願発明の鉄筋コンクリート構造物の防水構造（以下防水構造という）について説明する。この鉄筋コンクリート構造物における床、壁および柱の接合部、すなわち水平方向と垂直方向との接合部分は、地震などによりせん断破壊を招く恐れが大きいため、壁と床との間に水平スリットを、壁と柱との間には垂直スリットを形成した構造にしている。本願発明の防水構造１は、このように壁２と床３および柱４とが水平スリット５と垂直スリット６とで縁切りされた鉄筋コンクリート構造物７を対象にしたものである。
【０００８】
図１は防水構造１の斜視図を示したものであり、壁２と床３との間に水平スリット５が、壁２と柱４との間には垂直スリット６がそれぞれ形成された鉄筋コンクリート構造物７において、緩衝材８を介して防水層９が形成された構成になっている。
【０００９】
この緩衝材８は波形鋼板（角形または丸形を含む）１０と、この前面に貼り付けられた防水下地用鉄板１１とから構成され、この防水下地用鉄板１１の両側面および下面に形成された折曲片１２が床３および柱４にビス止めされている。この緩衝材８は壁２の凹状の収納スペース１３に収められ、床３および柱４からの防水層９が防水下地用鉄板１１に貼り付けられている。
【００１０】
また図２に示すように、防水層９が貼り付けれた緩衝材８の上部前面が減衰ゴム１４を介して壁２からの押さえ金物１５で押さえ付けられて、壁２には接合されておらず、壁２と縁切りされた状態になっている。このように緩衝材８は減衰ゴム１４で壁２に接しているため、壁２の揺れには影響されず、むしろ壁２の揺れを減衰ゴム１４で吸収するようになっている。
【００１１】
したがって、地震が発生した場合でも、縁切りされた壁２と、床３および柱４とは異なった揺れ方をするため防水層９が切断されることなく、むしろそれに追随することができる。また壁２と防水層９との間には波形鋼板１０によるスペース１６が確保されているため、このスペース１６が結露の発生を防ぐ空気層になる。
【００１２】
また図３に示すように、緩衝材８はパネル化されているため、防水下地用鉄板の折曲片１２で床３および柱４に簡単に固定でき、しかも上部を押さえ金物１５で押さえて転倒を防ぐため、簡単に設置することができる。これは鉄筋コンクリート構造物７を複雑な構造にすることなく、壁２の下面と床３との間に水平スリット５を設けた最も簡易な構造であっても、簡単に適用することができることを示している。
【図面の簡単な説明】
【００１３】
【図１】鉄筋コンクリート構造物の防水構造の斜視図である。
【図２】鉄筋コンクリート構造物の防水構造の断面図である。
【図３】防水構造の上部の断面図である。
【図４】（１）〜（３）は従来の鉄筋コンクリート構造物の防水構造の断面図である。
【符号の説明】
【００１４】
１、１７  防水構造
２、１８  壁
３、１９  床
４  柱
５、２０  水平スリット
６  垂直スリット
７  鉄筋コンクリート構造物
８  緩衝材
９、２１  防水層
１０  波板鋼板
１１  防水下地用鉄板
１２  折曲片
１３  収納スペース
１４  減衰ゴム
１５  押さえ金物
１６  スペース
２２  防水用躯体
【図１】
2007262781.tif 000003
【図２】
2007262781.tif 000004
【図３】
2007262781.tif 000005
【図４】
2007262781.tif 000006